(57)【要約】【課題】この発明は外観を損なうことなくマッサージユニットを組み込むことができるようにしたソファーを提供することにある。【解決手段】複数の利用者が並んで着座することができる長さを有するソファー１であって、座部体２と、座部体の前後方向後端に下端部が回動可能に連結され所定の角度で起立した起立状態と前面を座部体の上面に重ねて背面がほぼ水平となる倒伏状態とに保持可能な背部体１４と、背部体の背面に開口して形成された収容部１８と、収容部に収容され倒伏状態で保持された背部体の背面に仰臥する利用者をマッサージするマッサージユニット２４を具備する。【選択図】      図５
2008259637.tif 000002
【特許請求の範囲】
【請求項１】
複数の利用者が並んで着座することができる長さを有するソファーであって、
座部体と、
この座部体の前後方向後端に下端部が回動可能に連結され所定の角度で起立した起立状態と前面を上記座部体の上面に重ねて背面がほぼ水平となる倒伏状態とに保持可能な背部体と、
この背部体の背面に開口して形成された収容部と、
この収容部に収容され倒伏状態で保持された上記背部体の背面に仰臥する利用者をマッサージするマッサージユニットと
を具備したことを特徴とするソファー。
【請求項２】
上記座部体の長手方向の両端には上面が水平面に形成された肘掛け体が設けられ、上記背部体を倒伏状態に保持したときにこの背部体の背面と上記肘掛け体の上面とがほぼ同じ平面上に位置することを特徴とする請求項１記載のソファー。
【請求項３】
上記背部体は、一側面が開口し内部を上記収容部とした箱状体と、この箱状体の他側面に添設されたクッション材とによって構成されていて、上記箱状体の収容部に上記マッサージユニットが着脱可能に収容保持されていることを特徴とする請求項１記載のソファー。
【発明の詳細な説明】
【技術分野】
【０００１】
この発明は複数の利用者が並んで腰掛けることができる長さを有するソファーに関する。
【背景技術】
【０００２】
一般にソファーは座部体と、この座部体の前後方向後端に設けられた背部体とから構成されており、利用者は通常、上記座部体に着座し、背部体に寄り掛って利用する。
【０００３】
たとえば、リビングルームなどに設置されるソファーとしては、複数の利用者が並んで腰掛けることができる長尺タイプが用いられることが多い。しかしながら、ソファーを単に利用者が腰掛けるために利用するだけでなく、他の用途にも利用できるようにすることで、その付加価値を高めることが要望されている。
【０００４】
特許文献１には座部体にマッサージユニットを設けることで、付加価値を高めるようにしたソファーが示されている。しかしながら、座部体にマッサージユニットを設けると、座部体に着座する利用者にマッサージユニットの硬さが伝わるため、クッション性能が大きく低下することになる。
【０００５】
そこで、特許文献１では、座部体を第１乃至第３の起伏部からなるマッサージユニットと、このマッサージユニットの上面に着脱自在に設けられた上部クッション体によって構成するようにしている。
【０００６】
そして、ソファーとして利用するときには上部クッション体をマッサージユニットの第１乃至第３の起伏部の上面に取付けておくことで、マッサージユニットの硬さが利用者に伝わらないようにし、マッサージユニットを利用するときには上部クッション体を取り外すようにしている。
【特許文献１】特開２００４−３２１３８４号
【発明の開示】
【発明が解決しようとする課題】
【０００７】
しかしながら、座部体をマッサージユニットによって形成し、このマッサージユニットの上面に上部クッション体を設ける構成によると、座部体がマッサージユニットと上部クッション体との二重構造となり、その状態がソファーの前面から容易に視認されてしまうから、ソファーとして利用するときの外観が損なわれるということがある。
【０００８】
しかも、マッサージユニットのローラユニットが設けられている部分は他の部分に比べて凹凸が大きいから、ソファーとして利用するときにマッサージユニットの上面に上部クッション体を置くだけでは、利用者に上記ローラユニットの凹凸が伝わり易いということがある。つまり、ソファーとしての性能が低下することになる。
【０００９】
さらに、座部体がマッサージユニットによって形成されていると、マッサージユニットの着脱を容易に行うことができないから、そのマッサージユニットの修理や交換などがし難いなどのことがあった。
【００１０】
この発明は、外観や性能的には通常のソファーとほとんど変わることなく利用することができ、しかもマッサージユニットの修理や交換が容易に行えるようにしたソファーを提供することにある。
【課題を解決するための手段】
【００１１】
この発明は、複数の利用者が並んで着座することができる長さを有するソファーであって、
座部体と、
この座部体の前後方向後端に下端部が回動可能に連結され所定の角度で起立した起立状態と前面を上記座部体の上面に重ねて背面がほぼ水平となる倒伏状態とに保持可能な背部体と、
この背部体の背面に開口して形成された収容部と、
この収容部に収容され倒伏状態で保持された上記背部体の背面に仰臥する利用者をマッサージするマッサージユニットと
を具備したことを特徴とするソファーにある。
【００１２】
上記座部体の長手方向の両端には上面が水平面に形成された肘掛け体が設けられ、上記背部体を倒伏状態に保持したときにこの背部体の背面と上記肘掛け体の上面とがほぼ同じ平面上に位置することが好ましい。
【００１３】
上記背部体は、一側面が開口し内部を上記収容部とした箱状体と、この箱状体の他側面に添設されたクッション材とによって構成されていて、上記箱状体の収容部に上記マッサージユニットが着脱可能に収容保持されていることが好ましい。
【発明の効果】
【００１４】
この発明によれば、背部体の背面に開口する収容部を形成し、この収容部にマッサージユニットを収容したから、マッサージユニットがソファーの外観や性能を損なうことがなく、しかもマッサージユニットが背部体の背面に開口して形成された凹部に収容されているため、容易に着脱して修理や交換などを行うことができる。
【発明を実施するための最良の形態】
【００１５】
以下、この発明の一実施の形態を図面を参照しながら説明する。  
図１に示すソファー１は複数、たとえば２〜３人の利用者が並んで着座することができる長さを有する座部体２を備えている。この座部体２は図４と図５に示すように座枠３を有する。この座枠３は図３乃至図５に示すように枠状の側板４と、側板４によって形成された枠内の周辺部に設けられた底板５とによって形成されている。座枠３の底面の四隅部には脚部材３ａが設けられている。
【００１６】
上記座枠３内には前後方向に沿うとともに幅方向に対して所定間隔で複数の補強板６が架設されている。この補強板６は図４と図５に示すように座部体２の前端に対応する部分だけが上記座枠３とほぼ同じ高さであって、前端部から中途部は座枠３よりも低い水平部６ａに形成され、中途部から後端は漸次低くなる傾斜部６ｂに形成されている。
【００１７】
さらに、上記座枠３内の前後方向中途部で、上記水平部の後端部に対応する箇所には幅方向全長にわたって横板７が架設されている。この横板７と上記座枠３の側板４とがなす枠形状の上端面には合成繊維やキャンバスなどの強度の高い帯状布地を格子状に組んだクッション部材８が張設されている。このクッション部材８の上面にはウレタンフォームなどの弾性材９が設けられ、この弾性材９は外装地１１によって被覆されている。
【００１８】
図４に示すように、上記クッション部材８と補強板６の水平部６ａとの間には空間がある。そのため、上記座部体２に利用者が着座すると、その利用者の荷重を受けた上記クッション部材８は下方へ弾性的に変形することが可能となっている。
【００１９】
上記座枠３の長手方向両端には上端面が水平面１２となった肘掛け体１３が連結固定されている。一対の肘掛け体１３の間には背部体１４の下端部がヒンジ１５によって回動可能に設けられている。
【００２０】
上記ヒンジ１５は、図５に示すように第１の連結片１６と第２の連結片１７とが回動可能に連結されていて、第１の連結片１６は上記肘掛け体１３の内面に取付け固定され、第２の連結片１７は上記背部体１４の幅方向両端面の下部に取付け固定されている。
【００２１】
図４と図５に示すように、上記背部体１４は背面側の一側面が開口し内部を収容部１８とした箱状体１９を有し、この箱状体１９の他側面にはウレタンフォームなどの弾性材２１が添設されている。この弾性材２１は外装地２２によって被覆されている。
【００２２】
上記箱状体１９の収容部１８には図示しないバンドによって着脱可能に保持されたマッサージユニット２４が収容されている。このマッサージユニット２４は図４と図５に示すように上記収容部１８よりもわずかに小さい矩形状のベース板２５を有し、このベース板２５の上面には所定間隔で離間した一対のレール部材２６が長手方向に沿って敷設されている。
【００２３】
上記レール部材２６には図示しない駆動源によって上記レール部材２６に沿って往復駆動される可動体２７が設けられ、一対の可動体２７にはローラ軸２８が架設されている。このローラ軸２８には複数のマッサージローラ２９が回転可能に設けられている。
【００２４】
上記ベース板２５の幅方向両端部である、一対のレール部材２６の外側には弾性材３１が設けられている。そして、ベース板２５の上面側は比較的強度の高い布地からなる外装地３２によって被覆されている。
【００２５】
上記背部体１４は図４に示すように所定の角度で起立した起立状態と、図５に示すように背面をほぼ水平にした倒伏状態とで保持することができるようになっている。すなわち、図４に示すように背部体１４を所定の角度に起立させると、そのときの下端面が補強板６の傾斜部６ｂに当たってその傾斜角度で後方へ倒伏不能に保持される。
【００２６】
上記背部体１４を図５に示すように水平に倒伏させると、そのときの下面である背部体１４の前面が座部体２の上面に当たって背面が水平な状態で保持される。このときの背部体１４の上面は一対の肘掛け体１３の水平面１２とほぼ同じ水平面上に位置するようになっている。
【００２７】
このような構成のソファー１によれば、利用者が座部体２に着座する場合には図４に示すように背部体１４を所定の角度で傾斜した起立状態で保持する。それによって、利用者は座部体２に着座し、背部体１４に寄り掛かることができる。
【００２８】
このとき、背部体１４は下端が座枠３に設けられた複数の補強板６の傾斜部６ｂに当接して所定の傾斜角度で保持されている。そのため、背部体１４は所定の傾斜角度での起立状態を簡単な構成で確実に維持することができる。
【００２９】
利用者がマッサージユニット２４を利用したい場合には、図５に示すように背部体１４を背面が上となるようほぼ水平な状態に倒伏させる。背部体１４を倒伏状態で保持したならば、利用者はこの背部体１４の背面上に仰臥し、図示しないリモートコントローラによってマッサージユニット２４を作動させる。それによって、利用者は全身にマッサージを受けることができる。
【００３０】
上記マッサージユニット２４は背部体１４を構成する箱状体１９の収容部１８に収容されている。そのため、背部体１４を起立させた状態において、マッサージユニット２４によってソファー１の外観が損なわれるということがない。つまり、マッサージユニット２４が背部体１４の背面側に組み込まれているため、そのマッサージユニット２４がソファー１の外観を損なうことがない。
【００３１】
背部体１４を水平に倒伏させてマッサージユニット２４を利用する場合、背部体１４の背面と肘掛け体１３の水平面１２とがほぼ同一平面上に位置する。そのため、倒伏させた背部体１４の背面に利用者が仰臥してマッサージを受けるとき、上記肘掛け体１３の水平面１２を、たとえば利用者が頭部を載せるなどして利用することができ、便利である。つまり、利用者がマッサージを受けるとき、肘掛け体１３の水平面１２によって有効に利用することができる面積を拡大することができる。
【００３２】
背部体１４はヒンジ１５によって肘掛け体１３に回動可能に連結されている。そして、背部体１４は起立状態では下端を補強板６の傾斜部６ｂに当接させて保持され、倒伏状態では前面を座部体２の上面によって支持される。つまり、背部体１４を起立状態や倒伏状態で保持するために、それ専用のストッパやストッパの解除機構などを組み込む必要がないから、簡単な構成とすることができる。
【００３３】
上記マッサージユニット２４は背部体１４の背面に開口して形成された収容部１８に着脱可能に収容するようにした。そのため、マッサージユニット２４を修理したり、交換するような場合、そのマッサージユニット２４を背部体１４から簡単に着脱することができるから、修理や交換を容易に行うことが可能となる。
【００３４】
上記一実施の形態では背部体の下端部をヒンジによって肘掛け体に連結するようにしたが、背部体は肘掛け体でなく、座部体に連結するようにしてもよく、要は背部体が座部体に対して間接的或いは直接的のいずれかによって回動可能に連結されていればよい。
【図面の簡単な説明】
【００３５】
【図１】この発明の一実施の形態を示す背部体を起立させたソファーの斜視図。
【図２】背部体を水平に倒伏させた状態を示すソファーの斜視図。
【図３】背部体を起立させた状態のソファーの正面図。
【図４】背部体を起立させた状態のソファーの縦断面図。
【図５】背部体を倒伏させた状態のソファーの縦断面図。
【符号の説明】
【００３６】
２…座部体、１３…肘掛け体、１４…背部体、１５…ヒンジ、１８…収容部、１９…箱状体、２４…マッサージユニット。
【図１】
2008259637.tif 000003
【図２】
2008259637.tif 000004
【図３】
2008259637.tif 000005
【図４】
2008259637.tif 000006
【図５】
2008259637.tif 000007